(57)【特許請求の範囲】
【請求項１】
複数枚の薄板状単板の任意の層間に異種材料の補強シートを介在させ積層して曲練り成型することにより、脚柱と、該脚柱上部を外向きに屈曲させた脚桁とを一体に形成したことを特徴とするピアノ用支脚。
【請求項２】
脚桁の形成により生じた空間に楔状のブロック片を没設して固定したことを特徴とする請求項１記載のピアノ用支脚。
【請求項３】
練り線の現れる端面に化粧単板を貼着したことを特徴とする請求項１記載のピアノ用支脚。
【請求項４】
練り線の現れる端面およびブロック片の端面に化粧単板を貼着したことを特徴とする請求項２記載のピアノ用支脚。
【発明の詳細な説明】
【０００１】
【発明の属する技術分野】
本発明は、グランドピアノあるいはアップライトピアノの支脚の改良に関するものである。
【０００２】
【従来の技術】
一般的な形態のグランドピアノは、図９に示すごとくピアノ本体１００に３本の支脚１０２がボルトを螺合することにより、着脱可能に固定されている。そして、各支脚１０２の主要な構成要素は、図１０に示すごとく脚柱１０３と該脚柱の下端に取り付けたキャスター１０５と、上端に接合する脚桁１０４とよりなり、この脚桁をボルト１０６によりピアノ本体１００に固定する。
【０００３】
前記脚柱１０３と脚桁１０４の接合は、脚柱１０３の頂部に形成したほぞ１０３Ａを脚桁１０４のほぞ穴１０４Ａに差し込み、ほぞ１０３Ａの頂部に楔１０７を打ち込んで固定している。そして、脚桁１０４のボルト挿通孔１０４Ｂにボルト１０６を挿通し、該ボルトをピアノ本体１００に螺着して緊締することにより支脚全体を取り付けるようにしている。
【０００４】
【発明が解決しようとする課題】
このような構成の従来のピアノ用支脚では、脚柱１０３と脚桁１０４の接合がほぞ１０３Ａのみによるもので、ピアノを移動する脚柱１０３に加わる横荷重により脚柱１０３と脚桁１０４の接合部に曲げモーメントが作用し、やがて脚柱１０３と脚桁１０４が緩みピアノ本体１００を支持する不安定な状態となる。
【０００５】
固より、ピアノの総重量の殆どはピアノ本体が占めるもので、これを３本の支脚で支持するのは構造上回避し難い問題を含むものであった。そこで、このような問題を解決するための一例として、脚柱の上端面に複数本のボルトを植設し、このボルトを脚桁に形成したボルト孔に挿通し、ナットを螺合して固定することにより強度を向上させる方法が提案されている。
【０００６】
しかしながら、このような構成ではボルトを植設するための脚柱への加工や組立作業により製造コストを高めるとともに、脚桁に複数のボルト孔を形成することにより肉薄な部分が生じるため、応力がこの部分に集中して脚桁を破損する虞があった。
【０００７】
本発明は、このような問題を解決するためになされたものであり、軸方向の接合構造を一掃することにより十分な耐久性が得られるようにしたもので、しかも生産の合理性を高めることができるピアノ用支脚を提供するものである。
【０００８】
【課題を解決するための手段】
本発明のピアノ用支脚は、複数枚の薄板状単板の任意の層間に異種材料の補強シートを介在させ積層して曲練り成型することにより、脚柱と、該脚柱上部を外向きに屈曲させた脚桁とを一体に形成したことを特徴とする第１の構成と、
【０００９】
上記第１の構成において、脚桁の形成により生じた空間に楔状のブロック片を没設して固定したことを特徴とする第２の構成と、
【００１０】
上記第１の構成において、練り線の現れる端面に化粧単板を貼着したことを特徴とする第３の構成と、
【００１１】
上記第２の構成において、練り線の現れる端面およびブロック片の端面に化粧単板を貼着したことを特徴とする第４の構成と、により本発明の課題を解決する。
【００１２】
【発明の実施の形態】
以下、図に示す本発明の実施の形態を詳細に説明する。図１は本発明のピアノ用支脚１の完成状態を示す斜視図であり、この支脚１は対称形状である一対の支脚構成部材２を接合して一体化した構成となっている。
【００１３】
そして前記支脚構成部材２は、図２に示すごとき形状、即ち、脚柱２Ａとなる部分がテーパー状に形成され、Ｌ字状に予備成形された複数の薄板状単板Ｐ１・Ｐ２・・・Ｐｎの接着面に接着剤を塗布し、図３に示すごとく配列してプレス装置による圧締Ｐにより曲練り成型することにより脚柱２Ａと脚桁２Ｂとなる部分が一体的に成形される。
【００１４】
つぎに、図４に示すごとく、成形された一対の支脚構成部材２の脚柱２Ａの接着面に接着剤を塗布して対向させ、圧締Ｐをして接着剤を硬化させることにより、本発明のピアノ用脚柱が完成する。
【００１５】
図５は、上記支脚構成部材２の成型時に薄板単板Ｐ１・Ｐ２・・・Ｐｎの任意の層間に異種材料の補強シート４を介在させるようにしたもので、これにより耐久性を向上するようにしたものである。この補強シート４は特に素材を限定するものではないが、金属繊維、合成樹脂繊維、炭素繊維などが適当である。
【００１６】
ところで、本発明により完成したピアノ用支脚は、薄板状単板の積層構造であるため、薄板状単板の接面境界に筋状の練り線が現れる。そこで、支脚構成部材２の側端面に図６に示すごとき化粧単板５を貼着することにより、支脚の美観を向上することができる。
【００１７】
図７は、本発明のピアノ用支脚の他の製作工程を示すもので、前述では支脚構成部材を個々に製作し、支脚として完成するものであったが、同図に示す手順では、プレス型に予備成型した全ての薄板状単板Ｐ１・Ｐ２・・・Ｐｎを納め、接着面に接着剤を塗布して圧締Ｐをすることにより完成状態を得るようにしたものである。
【００１８】
つぎに、本発明の図８に示す他の実施例について説明する。同図に示す脚柱２はその上部が外向きに屈曲成型されており、この成型により生じた空間に楔状のブロック片を没設して固定したもので、これにより支脚のピアノ本体への取付部の質量を増大させることができる。したがって、応力の集中する支脚の取付部の強度を向上することができるとともに、デザイン的に安定した形態とすることができる。
【００１９】
なお、ここまでグランドピアノの支脚を対象として実施例を説明したが、アップライトピアノにおいて鍵盤棚を支持する支脚として実施することも可能である。
【００２０】
【発明の効果】
以上、詳細に説明したごとく、本発明のピアノ用支脚によれば、支脚と脚桁を一体的に形成した構成により、軸方向の接合構造を採用することがないので、曲げモーメントに対する強度が格段に向上する。また、薄板状単板の積層構造であるので、プレス加工により生産の合理性を高めることができ、製造コストを削減することができる。
【図面の簡単な説明】
【図１】本発明のピアノ用支脚の完成状態を示す斜視図である。
【図２】本発明の支脚構成部材の薄板状単板の形状を示す平面図である。
【図３】本発明の支脚構成部材を曲練り成型する状態を示す斜視図である。
【図４】本発明のピアノ用支脚を完成させる状態を示す斜視図である。
【図５】本発明の支脚に補強シートを介在させて完成する状態を示す斜視図である。
【図６】本発明のピアノ用支脚の端面に化粧単板を貼着する状態を示す斜視図である。
【図７】本発明のピアノ用支脚の他の製作工程を示す斜視図である。
【図８】本発明のピアノ用支脚の他の実施例を示す斜視図である。
【図９】グランドピアノ全体の形態を示す斜視図である。
【図１０】従来のピアノ用支脚の構成を示す斜視図である。
【符号の説明】
１・・・・・ピアノ用支脚
２・・・・・支脚構成部材
２Ａ・・・・脚柱
２Ｂ・・・・脚桁
３・・・・・キャスター
４・・・・・補強部材
５・・・・・化粧単体
６・・・・・ブロック片
【図１】
0004617553.tif 000002
【図２】
0004617553.tif 000003
【図３】
0004617553.tif 000004
【図４】
0004617553.tif 000005
【図５】
0004617553.tif 000006
【図６】
0004617553.tif 000007
【図７】
0004617553.tif 000008
【図８】
0004617553.tif 000009
【図９】
0004617553.tif 000010
【図１０】
0004617553.tif 000011